(57)【要約】      （修正有）【課題】車両への、積み降ろし効率の向上、緊急設備としての利便性を向上させた脱着式トイレハウスを提供する。【解決手段】脱着式トイレハウス１は、側部に扉を設けた本体と、本体の底板３０の前部下面に形成される前脚４と、本体の底板３０の後部下面に形成されるローラ付後脚５と、コンテナ脱着装置付車両に搭載する場合に案内するため底板３０の下面にガイド部材６と、本体をコンテナ脱着装置付車両に固縛するために底板３０の下面に設けたピンを備えた固縛装置と、本体の前板３１に固定される掛合部材８と、底板３０の上に並設するボックス型のユニットトイレ９と、を備える。【選択図】図２
0003167279.tif 000002
【実用新案登録請求の範囲】
【請求項１】
箱体の底板に形成された前脚と、
箱体の底板に形成されたローラ付後脚と、
コンテナ脱着装置付き車両に搭載する場合に案内するガイド部材と、
前記箱体を前記コンテナ脱着装置付き車両に固縛する固縛装置と、
前記箱体の前板に固定される掛合部材と、
前記底板の上に並設するボックス型のユニットトイレと、を備え、
コンテナ脱着装置付車両に搭載されるときには、前記コンテナ脱着装置付き車両のフックで前記掛合部材を引っ掛けて前記車両の前方に移動させて搭載し、
コンテナ脱着装置付車両から降ろすときには、前記コンテナ脱着装置付き車両のフックで前記掛合部材を引っ掛けて前記車両の後方に移動させ、積み降ろすことを特徴とする脱着式トイレハウス。
【請求項２】
前記ユニットトイレは、各々、大便器又は小便器のいずれかと、汚水タンクと、を備える請求項１の脱着式トイレハウス。
【請求項３】
前記底板と前記箱体との間に汚水槽を介装した請求項１の脱着式トイレハウス。
【考案の詳細な説明】
【技術分野】
【０００１】
本考案は、コンテナ脱着装置付車両を利用して移動可能な脱着式トイレハウスに関する。
【背景技術】
【０００２】
特許文献１に記載の考案は、第１に、使用場所が限定されず、容易に屋外で運搬，移動，設置，使用可能であり、第２に、しかもこれが簡単容易に実現される、バス・トイレ用のコンテナを提案する。このコンテナＢは、車載運搬可能であり、目的地の屋外で設置，使用され、内部にシャワー１７付のバスユニット１０とトイレユニット１１が配設されている。そして、天井１上に設けられた給水タンク２４，太陽熱温水器２５，給湯器，太陽電池２９の集光パネル２６等と、給水タンク２４からシャワー１７，バスユニット１０，トイレユニット１１等に至る冷水管Ｃと、太陽熱温水器２５や給湯器からシャワー１７，バスユニット１０に至る温水管Ｄと、バスユニット１０の排水口３０と、トイレユニット１１の汚物処理口３１と、太陽電池２９のバッテリー２８に接続された換気扇３２や室内灯３３と、を有している。
【先行技術文献】
【特許文献】
【０００３】
【特許文献１】特開平１１−３５０７５９号公報
【考案の概要】
【考案が解決しようとする課題】
【０００４】
しかしながら、特許文献１の考案のコンテナは、シャワー、バスユニットがあるので、コンテナの重量が重く、車両への積み降ろしが面倒であり、災害時等での緊急設備としての機動性と利便性に欠けるなどの問題がある。
【０００５】
そこで、トイレハウスの積み降ろし効率の向上、緊急設備としての機動性と利便性向上を図ることを課題とする。
【課題を解決するための手段】
【０００６】
上記課題に鑑み、請求項１の考案は、箱体の底板に形成された前脚と、箱体の底板に形成されたローラ付後脚と、コンテナ脱着装置付き車両に搭載する場合に案内するガイド部材と、前記箱体を前記コンテナ脱着装置付き車両に固縛する固縛装置と、前記箱体の前板に固定される掛合部材と、前記底板の上に並設するボックス型のユニットトイレと、を備え、コンテナ脱着装置付車両に搭載されるときには、前記コンテナ脱着装置付き車両のフックで前記掛合部材を引っ掛けて前記車両の前方に移動させて搭載し、コンテナ脱着装置付車両から降ろすときには、前記コンテナ脱着装置付き車両のフックで前記掛合部材を引っ掛けて前記車両の後方に移動させ、積み降ろすことを特徴とする脱着式トイレハウスである。
【０００７】
ボックス型のユニットトイレはボックス内に大便器、または、小便器のいずれか１つを設けたものである。ユニットトイレは、筐体に大便器又は小便器と、配管等を取り付けてユニット化したものである。ユニットトイレに手洗い器を付設しても良い。また、手洗い器を単独で備えたユニットトイレを底板上に追加して設置してもよい。
【０００８】
前記底板上に発電機を搭載し、前記便器に電気を供給することが好ましい。
【０００９】
前記前脚と、ローラ付後脚とが、折畳構造を備えたことが好ましい。
【００１０】
前記箱体に取り外し式階段を取り付け可能なことが好ましい。
【考案の効果】
【００１１】
本考案は以上説明したように構成されているので、本考案の脱着式トイレハウスは、重量軽減、車両への積み降ろし効率の向上、緊急設備としての利便性向上を図ることができる。
【図面の簡単な説明】
【００１２】
【図１】本発明の一実施形態の脱着式トイレハウス１の平面図である。
【図２】脱着式トイレハウス１の正面図である。
【図３】脱着式トイレハウス１の左側面図である。
【図４】脱着式トイレハウス１の右側面図である。
【図５】脱着式トイレハウス１の底面図である。
【図６】コンテナ脱着装置付車両１００に脱着式トイレハウス１が脱着される様子を示す説明図である。
【図７】本発明の他の実施形態の脱着式トイレハウス２０１の正面図である。
【図８】本発明の他の実施形態の脱着式トイレハウス３０１の正面図である。
【考案を実施するための形態】
【００１３】
以下に、本考案の好適な一実施形態である脱着式トイレハウス１について図面を参照して説明する。
【００１４】
脱着式トイレハウス１は、図１〜図５に示す通り、底板３０と底板３０の上に立設した前板３１から構成される本体３と、本体３の底板３０の前部下面に形成される前脚４と、本体３の底板３０の後部下面に形成されるローラ付後脚５と、コンテナ脱着装置付車両１００に搭載する場合に案内するため底板３０の下面にガイド部材６（図５参照）と、本体３をコンテナ脱着装置付車両１００に固縛するために底板３０の下面に設けたピンを備えた固縛装置７（図５参照）と、本体３の前板３１に固定される掛合部材８と、底板３０上に並設する複数個（ここでは６個）のボックス型のユニットトイレ９と、を備えている。ユニットトイレ９へ電気を供給する発電機（図示略）を設けても、設けなくてもいずれでもよい。発電機（図示略）に代えて、コンセント、配線を介して外部から電気を供給してもよい。そして、図６に示す通り、コンテナ脱着装置付車両１００に搭載されるときには、コンテナ脱着装置付車両１００のフック１０１で掛合部材８を引っ掛けてコンテナ脱着装置付車両１００の前方に移動させ、コンテナ脱着装置付車両１００から降ろすときには、前記コンテナ脱着装置付車両１００のフック１０１で掛合部材８を引っ掛けて車両１００の後方に移動させる。
【００１５】
前脚４と、ローラ付後脚５とが、折畳構造を備えたものでもよい。フックで底板３０に掛け止めすることができる。
【００１６】
掛合部材８の両側にはリブ１１を設けてある。この掛合部８にフック１０１が掛けられて、脱着式トイレハウス１をコンテナ脱着装置付車両１００に脱着する。
【００１７】
図１〜図４に示す通り、ユニットトイレ９は、複数個（ここでは、６個）、底板３０の上に背中合わせで設置される。ユニットトイレ９は、開閉自在の扉９ａを設け施錠９ｂを可能としたものである。ユニットトイレ９は、大便用、小便用のいずれでもよく、適宜数が設置される。また、大便用、小便用のいずれか一方のみから構成されてもよい。さらに、追加的に、手洗い器を単独で備えたユニットハウスを設置しても良い。さらに底板３０に取り外し式階段（図示略）を取り付けることもできる。このユニットトイレは、それぞれ、大便器又は小便器のいずれかと、汚水タンクと、を備えている。また、工事用等に用いられる簡易トイレを採用しても良い。なお、ユニットトイレ９の設置数、配置については適宜選択可能である。ユニットトイレ９は底板３０に対して載置したものでもよいし、溶接、固定具等で固定してもよいが、脱着装置（図示略）で取り外し可能な構造としてもよい。
【００１８】
底板３０上に水タンク、ポンプ等を備えた水タンクユニット（図示略）を別途に設け、より多くの水量を確保するようにしても良い。
【００１９】
発電機（図示略）を使用する場合には、あらかじめガソリンとオイルを供給しておくことで発電を行うエンジン内蔵型のものである。オイル給油口にオイルを供給し、燃料給油キャップを外し、注入口のレベル(給油限界位置)までガソリンを供給し、燃料給油キャップつまみを開の位置に合わせ、エンジンスイッチを運転の位置に合わせ、始動グリップを引く等によってエンジンがかかるようになっている。三相交流電源を採用する。なお、単相交流電源を採用し、２つのインバーターを直列あるいは並列に切り換えてもよい。100Vの出力、200Vの出力など各種電圧にも対応する。発電機（図示略）からの排気ガスは外部に排気する。
【００２０】
実施形態の動作、作用効果を説明する。コンテナ脱着装置付車両１００に脱着式トイレハウス１が積載されて移動するときには、図６に示す通り、少なくとも前脚４が畳まれた状態で、掛合部８にフック１０１が掛けられて、アーム１０２によって、脱着式トイレハウス１を長手方向に移動させて装着させる。このとき、ユニットトイレ９に水タンク、あるいは、汚水用タンクを装着しているため、底板３０の積おろし傾斜角度を緩やかにする必要がある。そのため、ローラ付後脚を長くする必要から、これを折たたみ式構造としたことで、積み降ろし作業は円滑に簡単に行うことができる。前脚４に加えてローラ付後脚５も畳んで運搬してもよい。
【００２１】
一方、コンテナ脱着装置付車両１００から降ろされて地面に設置されるときには、ローラ付後脚５とを畳まれた状態から展開させて立設し、アーム１０２によって脱着式トイレハウス１を長手方向に移動させて、前脚４を展開し、コンテナ脱着装置付車両１００から離脱させる。離脱作業は円滑に簡単に行うことができる。取り外し式階段２１を本体３に取り付けてもよい。必要に応じて、発電機を本体３に搭載させ、ユニットトイレ９に発電機から電力供給させてもよいし、発電機に代えてコンセントからユニットトイレに電源供給してもよい。電源はトイレの温水装置、電気制御装置に用いることが好ましい。また寒冷地では暖房装置、熱帯では冷房装置を設け、電源を供給してもよい。
【００２２】
以上のように、便器専用の脱着式トイレハウス１とすることで重量が軽減でき、コンテナ脱着装置付車両１００を利用することで車両への積み降ろし効率を向上でき、さらに保冷コンテナ、事務所コンテナと組み合わせることで災害発生時などに緊急設備としての機動性と利便性向上を図ることができる。発電機を必要に応じて利用することで利便性を向上させることができる。
【００２３】
図７に示す通り、異なる他の実施形態の脱着式トイレハウス２０１は、ユニットトイレ２０９ａが大便器から構成されたものと、ユニットトイレ２０９ｂが扉のない開放型又は小扉を備えた小便器から構成されたものとを混在させて設置したものである。これらの２種類のユニットトイレ２０９ａ、２０９ｂの設置数、配置については適宜選択可能である。使用状況に応じて、ユニットトイレ２０９ｂを全部設置してもよい。また、手洗い器単独で構成されたユニットハウス２０９ｃは設けても設けなくてもいずれでもよい。ユニットハウス２０９ｃを設けないときには別途、近くに手洗い場を設置することが必要である。
【００２４】
図８に示す通り、更に異なる他の実施形態の脱着式トイレハウス３０１は、底板３３０の上面に汚水槽３０２を設置し、その上にユニットトイレ３０９を設置したものである。各ユニットトイレ３０９の汚水がオーバーフローしたときに、有効である。また、汚水タンクのないユニットトイレの場合には必須である。
【００２５】
脱着式トイレハウス１、２０１、３０１は、重量軽減、コンテナ脱着装置付き車両１００への積み降ろし効率が向上し、緊急設備としての利便性向上を図ることができる。たとえば、フラット型コンテナに現存の簡易トイレを用途に応じて複数種類、簡易に並設することができ、その工業的利用価値は大である。なお、本考案は、上記実施形態に何ら限定されるものではなく、本考案の技術的思想を逸脱しない範囲において、当該技術的範囲に属する限り種々の改変等の形態を採り得る。
【符号の説明】
【００２６】
１・・・脱着式トイレハウス
３・・・本体
４・・・前脚
５・・・ローラ付後脚
６・・・ガイド部材
７・・・固縛装置
８・・・掛合部材
９・・・ユニットトイレ
３０・・・底板
３１・・・前板
３２・・・天板
３３，３４・・・側板
１００・・・コンテナ脱着装置付車両
１０１・・・フック
１０２・・・アーム
【図１】
0003167279.tif 000003
【図２】
0003167279.tif 000004
【図３】
0003167279.tif 000005
【図４】
0003167279.tif 000006
【図５】
0003167279.tif 000007
【図６】
0003167279.tif 000008
【図７】
0003167279.tif 000009
【図８】
0003167279.tif 000010